(57)【要約】      （修正有）【課題】外耳表面がウエットタイプでこびり付き易い耳垢や、外耳に生えている毛にまとわりついた耳垢を掃除し易い耳垢取り器を提供する。【解決手段】空洞部３ａと該空洞部３ａと連通させたスライド用穴３ｂとを備えた柄部３と、柄部３に延設した支持杆２ｂを接続させた掻き取り部２ａを備えた耳垢掻き取り杆２と、支持杆２ｂの間を摺動自在として基端を柄部３の空洞部３ａに挿通させた内押し杆４と、内押し杆４に付設し柄部３のスライド用穴３ｂより突出させた可動用摘み部４ａとを備え、掻き取り部２ａは板状とすると共に縦断面は下方を手前に稍突出させた円弧状に形成し、可動用摘み部４ａを操作して掻き取り部２ａの内側と内押し杆４の先端とで耳垢Ａを挟み取るようにした。【選択図】図１
2008036360.tif 000002
【特許請求の範囲】
【請求項１】
先端側を開口させた空洞部と該空洞部と連通させ側方に開口させたスライド用穴とを備えた柄部と、該柄部の先端より両側に対峙させて延設した支持杆の夫々の先端をループ状に接続させた掻き取り部を備えた耳垢掻き取り杆と、該耳垢掻き取り杆の支持杆の間を摺動自在として基端を前記柄部の空洞部に挿通させた内押し杆と、該内押し杆の基端辺の側方に付設し前記柄部のスライド用穴より突出させた可動用摘み部とを備え、前記耳垢掻き取り杆の先端の掻き取り部は上下方向に巾を有した板状とすると共に縦断面は下方を手前に稍突出させた円弧状に形成し、前記可動用摘み部を操作して耳垢掻き取り杆の先端の掻き取り部の内側と内押し杆の先端とで耳垢を挟み取ることを特徴とする耳垢挟み取り器。
【請求項２】
前記内押し杆の基端と前記空洞部の基端との間にコイルスプリングを張設して、内押し杆の一定位置に維持させることを特徴とする請求項１に記載の耳垢挟み取り器。
【請求項３】
前記内押し杆の先端は耳垢掻き取り杆の掻き取り部の内側で掻き取った耳垢を乗載させる凹陥部を形成したことを特徴とする請求項１又は請求項２に記載の耳垢挟み取り器。
【請求項４】
前記内押し杆の先端に基端方向に窪む凹部を形成したことを特徴とする請求項１又は請求項２に記載の耳垢挟み取り器。
【請求項５】
前記内押し杆の先端を耳垢掻き取り杆の先端の掻き取り部の内側の形状と沿った形状としたことを特徴とする請求項１又は請求項２に記載の耳垢挟み取り器。
【請求項６】
前記内押し杆の先端の上下方向に複数のスリット状の凹凸部を形成したことを特徴とする請求項１〜５のいずれか一項に記載の耳垢挟み取り器。
【発明の詳細な説明】
【技術分野】
【０００１】
本発明は、耳垢を挟み取る耳垢挟み取り器に関するものであり、更に詳細には、耳垢掻き取り杆によって耳垢を掻き、柄部に突出させた可動用摘み部を操作することによって内押し杆を移動させ、耳垢掻き取り杆の先端の掻き取り部の内側と内押し杆の先端との間に挟んで耳垢を取る耳垢挟み取り器に関するものである。
【背景技術】
【０００２】
一般的に欧米人の耳垢はウエットタイプが多いと言われ、日本人の耳垢はドライタイプが多いと言われるが、日本人でも１〜２割程度の人がウエットタイプと言われており、ウエットタイプの人は、一般にアメ耳等と言われて、アポクリン線からの分泌物が多いのが原因とも言われている。
【０００３】
特に、ウエットタイプの人の耳垢は、外耳の表面にこびり付き易い。また、外耳に生えている毛にまとわりつき、絨毯に水飴を付けた様な状態と成り、汎用されている匙状の耳掻きでは外耳にこびり付いた耳垢を取るのが困難なものであり、また、先端に取り付けたワイヤー状のもので絡め取るものがあるが、こびり付いた耳垢を取るのが困難なものである。
【０００４】
その為に、先に開示されている、例えば、先端が屈曲されたヘラ状部の耳掻き主杆と、押当て部を下端に有し、上端に操作部を有するスライド杆とからなり、スライド杆は、同操作部の押し下げ操作に連動する同押当て部が、耳掻き主杆ヘラ状部の上面所定位置から下方、耳掻き主杆ヘラ状部の上面まで上下摺動自在に規制されて耳掻き主杆に組み合わされてなる耳掻き（特許文献１参照）や、棒状の本体部１と、該棒状本体部１の先端に一体に形成された円板状の掻き取り部２とからなり、前記円板状掻き取り部２の外周には凹凸部３，４が形成されているもの（特許文献２参照）や、耳垢を穿る引出部分４の形を、断面が丸いリング状にして耳垢を穿る際に耳の中がこすられないようにしたし、リングの中央の空間部に耳垢がくっつきやすいようにした。また、頭の部分が回転できるようにし、古くなった耳垢も掃除しやすくした。リングと耳垢が接触する角度が既存のスプーン型の耳掻きの角度とは正反対になっており、より手軽に耳垢を穿ることができる。なお、支持棒３は、細く、弾力性があり、しなやかで、手つきが多少不正確で耳の中の壁に強くこすっても衝撃を吸収しやすく痛みを感じさせない。また、急な衝撃で耳の中に深く入って耳をつついても、支持棒３自体に衝撃を緩和するような考案がなされているので耳を傷める心配がないもの（特許文献３参照）がある。
【特許文献１】実開平７−３０８８０号公報
【特許文献２】登録実用新案第３０２１８００号公報
【特許文献３】登録実用新案第３０８９０２３号公報
【発明の開示】
【発明が解決しようとする課題】
【０００５】
然し乍ら、特許文献１に記載のものは、乳幼児用のものであり、同ヘラ状部１１と同押当て部２１とで摘んで取り出すものであるが、従来のヘラ状のものであり、こびり付いた耳垢を取り出すのは困難であり、また、同操作部２２は基端に設けており、操作するときには耳掻きを持ち替えて操作しなければ成らず、掻き取った耳垢をそのまま挟持させるのは困難なものであると共に、他の人が操作するもので自分自身が操作するのが困難なものであり、特許文献２に記載のものは、掻き取り部２を凹凸部３を形成した円板状にしたものであり、更に、特許文献３に記載のものは、掻き取り部４をリング状にしたものであり、従来のヘラ状のもの同様に、こびり付いた耳垢を取り出すのは困難なものである。
【課題を解決するための手段】
【０００６】
本発明の耳垢挟み取り器は、前述の課題に鑑み、鋭意研鑽の結果、先端側を開口させた空洞部と空洞部と連通させ側方に開口させたスライド用穴とを備えた柄部と、柄部より対峙させて延設した支持杆の先端をループ状に接続させた掻き取り部を備えた耳垢掻き取り杆と、耳垢掻き取り杆の支持杆の間を摺動自在として基端を空洞部に挿通させた内押し杆と、内押し杆の基端辺に付設しスライド用穴より突出させた可動用摘み部とを備え、耳垢掻き取り杆の掻き取り部は上下方向に巾を有した板状とすると共に縦断面は下方を手前に稍突出させた円弧状に形成し、可動用摘み部を操作して耳垢掻き取り杆の掻き取り部の内側と内押し杆の先端とで耳垢を挟み取るものであり、更に、内押し杆の基端と空洞部の基端との間にコイルスプリングを張設して、内押し杆の一定位置に維持させるものであり、更には、内押し杆の先端に凹陥部を形成したものであり、加えて、内押し杆の先端に基端方向に窪む凹部を形成したものであり、また、内押し杆の先端を耳垢掻き取り杆の掻き取り部の内側の形状と沿った形状としたものであり、また、内押し杆の先端の上下方向に凹凸部を形成したものである。
【発明の効果】
【０００７】
本発明の耳垢挟み取り器は、柄部の側方に可動用摘み部を備えており、持ち替えて操作しなくとも把持した状態で人差し指等で操作が可能であり、確実に耳垢を挟むことを可能とし、また、耳垢掻き取り杆の先端の掻き取り部をループ状として、縦断面は下方を手前に稍突出させた円弧状に形成しているために、こびり付いたウエットタイプの耳垢でも容易に掻き取ることが可能なものであり、実用性の高い発明である。
【発明を実施するための最良の形態】
【０００８】
以下、本発明の耳垢挟み取り器の実施の形態の図面によって具体的に説明すると、図１は本発明の耳垢挟み取り器の実施例を説明するための（ａ）は平面図（ｂ）は使用状態の側面図であり、図２は本発明の耳垢挟み取り器の実施例の（ａ）は先端側の側面図と（ｂ）は耳垢掻き取り杆の掻き取り部辺の斜視図であり、図３（ａ）（ｂ）（ｃ）は本発明の耳垢挟み取り器の実施例の耳垢掻き取り状態を示す側面断面図であり、図４（ａ）（ｂ）は本発明の耳垢挟み取り器の次実施例のウエットタイプの耳垢掻き取り状態を示す側面断面図であり、図５（ａ）（ｂ）は本発明の耳垢挟み取り器の次実施例の粉粒状の耳垢掻き取り状態を示す側面断面図であり、図６は本発明の耳垢挟み取り器の他の実施例の（ａ）は平面図（ｂ）は側面断面図であり、図７は本発明の耳垢挟み取り器の更に他の実施例の平面図であり、図８は更に他の実施例の（ａ）は平面図（ｂ）は側面断面図（ｃ）は使用状態の要部断面図である。
【０００９】
本発明は、耳垢Ａを挟み取る耳垢挟み取り器１に関するものであり、更に詳細には、耳垢掻き取り杆２によって耳垢Ａを掻き、柄部３に突出させた可動用摘み部４ａを操作することによって内押し杆４を移動させ、耳垢掻き取り杆２の先端の掻き取り部２ａの内側と内押し杆４の先端との間に挟んで耳垢Ａを取る耳垢挟み取り器１に関するものであり、請求項１に記載の耳垢挟み取り器は、先端側を開口させた空洞部３ａと該空洞部３ａと連通させ側方に開口させたスライド用穴３ｂとを備えた柄部３と、該柄部３の先端より両側に対峙させて延設した支持杆２ｂの夫々の先端ループ状に接続させた掻き取り部２ａを備えた耳垢掻き取り杆２と、該耳垢掻き取り杆２の支持杆２ｂの間を摺動自在として基端を前記柄部３の空洞部３ａに挿通させた内押し杆４と、該内押し杆４の基端辺の側方に付設し前記柄部３のスライド用穴３ｂより突出させた可動用摘み部４ａとを備え、前記耳垢掻き取り杆２のループ状の先端の掻き取り部２ａは上下方向に巾を有した板状とすると共に縦断面は下方を手前に稍突出させた円弧状に形成し、前記可動用摘み部４ａを操作して耳垢掻き取り杆２の先端の掻き取り部２ａの内側と内押し杆４の先端とで耳垢Ａを挟み取ることを特徴とするものである。
【００１０】
更に、請求項２に記載の耳垢挟み取り器は、請求項１に記載の耳垢挟み取り器において、前記内押し杆４の基端と前記空洞部３ａの基端との間にコイルスプリング５を張設して、内押し杆４の一定位置に維持させることを特徴とするものである。
【００１１】
更には、請求項３に記載の耳垢挟み取り器は、請求項１又は請求項２に記載の耳垢挟み取り器において、前記内押し杆４の先端は耳垢掻き取り杆２の先端の掻き取り部２ａの内側で掻き取った耳垢Ａを乗載させる凹陥部を形成したことを特徴とするものである。
【００１２】
加えて、請求項４に記載の耳垢挟み取り器は、請求項１又は請求項２に記載の耳垢挟み取り器において、前記内押し杆４の先端に基端方向に窪む凹部を形成したことを特徴とするものである。
【００１３】
また、請求項５に記載の耳垢挟み取り器は、請求項１又は請求項２に記載の耳垢挟み取り器において、前記内押し杆４の先端を耳垢掻き取り杆２の先端の掻き取り部２ａの内側の形状と沿った形状としたことを特徴とするものである。。
【００１４】
また、請求項６に記載の耳垢挟み取り器は、請求項１〜５のいずれか一項に記載の耳垢挟み取り器において、前記内押し杆４の先端の上下方向に複数のスリット状の凹凸部を形成したことを特徴とするものである。
【実施例】
【００１５】
即ち、本発明の耳垢挟み取り器１は、特に、ウエットタイプの耳垢Ａを取るのに好適なものであり、柄部３は、先端側を開口させた空洞部３ａと、該空洞部３ａと連通させ側方に開口させたスライド用穴３ｂとを備えているもので、空洞部３ａの先端側の開口には後述する内押し杆４の基端を摺動可能に挿通させるものである。
【００１６】
そして、耳垢掻き取り杆２は、柄部３の先端より両側に対峙させて延設した一対の支持杆２ｂと、該一対の支持杆２ｂの先端をループ状に接続させ掻き取り部２ａを形成し、掻き取り部２ａの下方は耳腔の形状に沿って丸味を設けているもので、図１（ａ）に図示する如く、掻き取り部２ａはＵ字状に形成されるものである。
【００１７】
次に、内押し杆４は、耳垢掻き取り杆２の一対の支持杆２ｂの間を摺動自在に基端を柄部３の先端側の開口から空洞部３ａに挿通させているものである。
【００１８】
次いで、可動用摘み部４ａは、図１（ａ）及び（ｂ）に図示する如く、内押し杆４の基端辺の側方に付設すると共に、スライド用穴３ｂより柄部３の側面に突出させて人差し指Ｂで操作しているもので、図示する実施例では、親指を安定して当接できる固定摘み部を柄部３の下方に設けているものである。
【００１９】
更に、掻き取り部２ａは、耳垢掻き取り杆２の対峙させた支持杆２ｂの先端をループ状に接続させたもので、上下方向に巾を有した板状に形成すると共に、掻き取り部２ａの中央の縦断面において、下方を手前に稍突出させた円弧状に形成しているもので、つまり、図２（ｂ）の斜視図及び図３の（ａ）（ｂ）（ｃ）に図示する如く、こびり付いた耳垢Ａを効率良く掻き取るような形状としているもので、図３の（ａ）（ｂ）（ｃ）の図示は、内押し杆４を用いないで耳垢掻き取り杆２の掻き取り部２ａのみを用いて耳垢Ａを掻いたものである。
【００２０】
更には、耳垢Ａは、可動用摘み部４ａを柄部３の外側から、図１（ｂ）に図示する如く、人差し指Ｂで操作して掻き取り部２ａの内側と内押し杆４の先端とで挟み取られるものであり、柄部３を把持して耳垢Ａを掻いた状態で人差し指Ｂで操作できることから、容易に挟持できるものである。
【００２１】
次に、コイルスプリング５は、図８（ａ）及び（ｂ）に図示する如く、柄部３の空洞部３ａに挿通させた内押し杆４の基端と空洞部３ａの底部との間にを張設しているもので、内押し杆４を可動用摘み部ａを操作させて先端方向にコイルスプリング５の弾性に抗して摺動させても、人差し指Ｂの力を緩めると弾性により一定位置に戻されるものである。
【００２２】
そして、内押し杆４の先端には凹陥部を形成しているもので、耳垢掻き取り杆２の掻き取り部２ａで掻き取ったウエットタイプの耳垢Ａを、図４に図示する如く、掻き取り部２ａの内側と内押し杆４の先端とで挟持するか、又は、図５に図示する如く、粉粒状の耳垢Ａは凹陥部に乗載するものである。
【００２３】
次いで、図６に図示する実施例では、内押し杆４の先端に基端方向に窪む凹部を形成しているもので、掻き取り部２ａの内側と内押し杆４の先端とで挟持するものである。
【００２４】
更に、図７及び図８に図示する実施例では、内押し杆４の先端を耳垢掻き取り杆２の先端の掻き取り部２ａの内側の形状と沿った形状としたもので、図７に図示するものは、内押し杆４の先端をＵ字状に形成し、図８に図示するものは、内押し杆４の先端をリング状に形成したものである。
【００２５】
更には、図８に図示する実施例では、内押し杆４の先端の上下方向に複数のスリット状の凹凸部を形成したものであり、外耳に体毛Ｃの多い人は耳垢Ａが体毛Ｃにへばりつくように成っており、耳垢Ａを挟持して取り出すときに体毛Ｃを一緒に挟み抜いてしまうことを防止するものである。
【００２６】
そして、本発明の耳垢挟み取り器１の耳垢掻き取り杆２の長さは柄部３から２０ｍｍ程度とし、掻き取り部２ａの巾は約４ｍｍ程度とし、高さは耳垢Ａの上方を通して下方に降ろすため約３ｍｍ程度とし、先端付近の角部の丸味は半径が０．２ｍｍ程度とすることが望ましいものである。
【産業上の利用可能性】
【００２７】
本発明の耳垢挟み取り器は、柄部の側方に可動用摘み部を備えており、持ち替えて操作しなくとも把持した状態で人差し指等で操作が可能であり、確実に耳垢を挟むことを可能とし、また、耳垢掻き取り杆の先端の掻き取り部をループ状として、縦断面は下方を手前に稍突出させた円弧状に形成しているために、ウエットタイプの耳垢でも容易に掻き取ることが可能な耳垢挟み取り器を提供するものである。
【図面の簡単な説明】
【００２８】
【図１】図１は本発明の耳垢挟み取り器の実施例を説明するための（ａ）は平面図（ｂ）は使用状態の側面図である。
【図２】図２は本発明の耳垢挟み取り器の実施例の（ａ）は先端側の側面図と（ｂ）は耳垢掻き取り杆の掻き取り部辺の斜視図である。
【図３】図３（ａ）（ｂ）（ｃ）は本発明の耳垢挟み取り器の実施例の耳垢掻き取り状態を示す側面断面図である。
【図４】図４（ａ）（ｂ）は本発明の耳垢挟み取り器の次実施例のウエットタイプの耳垢掻き取り状態を示す側面断面図である。
【図５】図５（ａ）（ｂ）は本発明の耳垢挟み取り器の次実施例の粉粒状タイプの耳垢掻き取り状態を示す側面断面図である。
【図６】図６は本発明の耳垢挟み取り器の他の実施例の（ａ）は平面図（ｂ）は側面断面図である。
【図７】図７は本発明の耳垢挟み取り器の更に他の実施例の平面図である。
【図８】図８は更に他の実施例の（ａ）は平面図（ｂ）は側面断面図（ｃ）は使用状態の要部断面図である。
【符号の説明】
【００２９】
Ａ      耳垢
Ｂ      人差し指
Ｃ      体毛
１      耳垢挟み取り器
２      耳垢掻き取り杆
２ａ    掻き取り部
２ｂ    支持杆
３      柄部
３ａ    空洞部
３ｂ    スライド用穴
４      内押し杆
４ａ    可動用摘み部
５      コイルスプリング
【図１】
2008036360.tif 000003
【図２】
2008036360.tif 000004
【図３】
2008036360.tif 000005
【図４】
2008036360.tif 000006
【図５】
2008036360.tif 000007
【図６】
2008036360.tif 000008
【図７】
2008036360.tif 000009
【図８】
2008036360.tif 000010